(57)【要約】【課題】傾斜溝底面を有する係止凹溝が刻まれたロックナットに引っ掛ける際、当接端面が当該ロックナットの傾斜溝底面に完全に密着させて、良好な係合状態を得ることにより、安定した締緩作業を行うことができるフックスパナを提供することを目的としている。【解決手段】フックスパナであって、柄部と、引掛け頭部と、両側面と、を有するフックスパナ本体を備え、該引掛け頭部は、該フックスパナ本体における、柄部が形成された一端の反対端に形成され、該引掛け頭部における、該柄部から離れた一端に、平面状の当接端面を有するフック爪が形成され、該当接端面は、該フックスパナ本体の一方の側面から他方の側面まで斜めに延在することを特徴とする。【選択図】図３
0003234637.tif 000002
【実用新案登録請求の範囲】
【請求項１】
フックスパナであって、柄部と、引掛け頭部と、両側面とを有するフックスパナ本体を備え、該引掛け頭部は、該フックスパナ本体における、該柄部が形成された一端の反対端に形成され、該引掛け頭部における、該柄部から離れた一端に、平面状の当接端面を有するフック爪が形成され、該当接端面は、該フックスパナ本体の一方の該側面から他方の該側面まで斜めに延在することを特徴とするフックスパナ。
【請求項２】
前記引掛け頭部における、前記柄部に近い一端に当てブロックが形成され、該当てブロックは、前記フック爪と対向するように配置され、該柄部側へ凹んだ円弧状を呈することを特徴とする請求項１に記載のフックスパナ。
【請求項３】
前記フックスパナ本体の前記柄部における、前記引掛け頭部から離れた一端に、該フックスパナ本体の両側面を貫通する柄穴が形成されることを特徴とする請求項１又は請求項２に記載のフックスパナ。
【考案の詳細な説明】
【技術分野】
【０００１】
本考案はハンドツールのスパナに関し、特に、安定的に締結部品を係止することができるフックスパナに関するものである。
【背景技術】
【０００２】
スパナは、ボルトやナットなどの素手で回せない締結部品の締め付け取り外し作業によく使われているハンドツールであり、異なる用途や締結対象物に応じて、様々な種類が存在し、その中の一つはフックスパナである。フックスパナとは、工作機械の切削工具をチャッキングするためのロックナットの締緩用道具として利用されるものであり、このロックナットは、その外周面に、平坦な溝底面を有する複数の係止凹溝が一定間隔で刻まれている。尚、図５及び図７に示す二種類の既存のフックスパナ８０においては、フック爪８１の当接端面８１１がそれぞれ、平面状当接端面８１１Ａ及び凸円弧状当接端面８１１Ｂを呈する。ロックナット９０の締緩作業を行う時には、いずれの種類の既存のフックスパナ８０も、そのフック爪８１の当接端面８１１を係止凹溝の平坦な溝底面に当接させてロックナットに係止することにより、ロックナットを締め付けたり、緩めたりすることができる。
【０００３】
しかしながら、図６に示すように、既存のロックナットの中には、外周面から軸心に向かって傾斜するように延在する傾斜溝底面９１を有する係止凹溝が刻まれたロックナット９０も存在するが、既存のフックスパナ８０の引掛けフック８１の平面状当接端面８１１Ａは、図５に示すように、その延在方向が、既存のフックスパナ８０の本体の延在方向と直交していることから、図６に示すように、平面状当接端面８１１Ａを呈する既存のフックスパナ８０を、当該ロックナットに引っ掛けても、フックスパナ８０の平面状当接端面８１１Ａが、当該ロックナット９０の傾斜溝底面９１に完全に密着することができず、両者は線接触することしかできない。また、凸円弧状当接端面８１１Ｂを呈する既存のフックスパナ８０の場合も、同じく、フックスパナ８０の凸円弧状当接端面８１１Ｂが、当該ロックナット９０の傾斜溝底面９１に完全に密着することができない。従って、既存のフックスパナ８０では、この傾斜溝底面９１を有する係止凹溝が刻まれたロックナット９０に引っ掛けた時、安定した係合状態を得ることができないため、締緩作業中にロックナット９０から脱落してしまう虞があった。
【考案の概要】
【考案が解決しようとする課題】
【０００４】
本考案は、前記従来技術の欠点に鑑みてなされたものであり、傾斜溝底面を有する係止凹溝が刻まれたロックナットにフックスパナを引っ掛ける際、当接端面が当該ロックナットの傾斜溝底面に完全に密着させて、良好な係合状態を得ることにより、安定した締緩作業を行うことができるフックスパナを提供することを目的としている。
【課題を解決するための手段】
【０００５】
上記目的を達成するために、本考案は、フックスパナであって、柄部と、引掛け頭部と、両側面と、を有するフックスパナ本体を備え、該引掛け頭部は、該フックスパナ本体における、柄部が形成された一端の反対端に形成され、該引掛け頭部における、該柄部から離れた一端に、平面状の当接端面を有するフック爪が形成され、該当接端面は、該フックスパナ本体の一方の側面から他方の側面まで斜めに延在することを特徴とする。
【０００６】
前記引掛け頭部における、前記柄部に近い一端に当てブロックが形成され、該当てブロックは、前記フック爪と対向するように配置され、該柄部側へ凹んだ円弧状を呈することを特徴とする。
【０００７】
前記フックスパナ本体の柄部における、前記引掛け頭部から離れた一端に、該フックスパナ本体の両側面を貫通する柄穴が形成されることを特徴とする。
【考案の効果】
【０００８】
前述した技術特徴によれば、フックスパナ本体の一方の側面から他方の側面まで斜めに延在する平面状の当接端面を有するフック爪の設置により、傾斜溝底面を有するロックナットに、本考案に係るフックスパナを引っ掛けて締緩作業を行う際に、フック爪の当接端面が、当該ロックナットの傾斜溝底面に面接触するように密着して係合することから、安定した係合状態が得られると共に、接触面積が大きくなるにつれて、使用者が加える力の伝達効率を高める効果もある。
【図面の簡単な説明】
【０００９】
【図１】本考案の好適な実施例における使用状態を示す模式図である。
【図２】本考案の好適な実施例における他の使用状態を示す模式図である。
【図３】本考案の好適な実施例を示す斜視図である。
【図４】本考案の好適な実施例における使用状態を示す断面図である。
【図５】既存のフックスパナの頭部の斜視図である。
【図６】図５に示した既存のフックスパナでの使用状態を示す断面図である。
【図７】他の既存のフックスパナの頭部の斜視図である。
【考案を実施するための形態】
【００１０】
本考案の技術特徴及び実用的な効果を深く理解できるように、且つ考案の内容に従って実現できるように、図面に示す好適な実施形態によって、以下のとおり詳細に説明する。
【００１１】
図１〜図３は、本考案に係るフックスパナの好適な実施例を示したものであり、それによると、当該フックスパナは、対向している両側面と、使用者が把持するための柄部１１と、引掛け頭部１２と、柄穴１３と、を含むフックスパナ本体１０を備える。
【００１２】
図３に示すように、前記引掛け頭部１２は、前記フックスパナ本体１０上における、柄部１１が形成された一端の反対する側の端部に形成され、該引掛け頭部１２における、該柄部１１から離れた一端にフック爪１２１が形成され、該柄部１１に近い一端に、該フック爪１２１と対向する当てブロック１２３が形成され、該フック爪１２１は、該フックスパナ本体１０の一方の側面から他方の側面まで斜めに延在する平面状の当接端面１２２を有し、該当てブロック１２３は、該柄部側へ凹んだ円弧面を有する。
【００１３】
図３に示すように、前記柄穴１３は、前記柄部１１における、前記引掛け頭部１２から離れる一端に、前記フックスパナ本体１０の両側面を貫通するように形成され、該柄穴１３の設置により、本考案のフックスパナを壁に吊り下げたり、ローブを通したりすることができる。
【００１４】
図１、図２及び図４に示すように、本考案のフックスパナは、ロックナット９０の外周面から軸心に向かって斜めに延在する傾斜溝底面９１を有する複数の係止凹溝が外周に一定間隔で刻まれたロックナット９０の締緩作業に用いられる。前記ロックナット９０の締緩作業する時は、前記フック爪１２１を、ロックナット９０の係止凹溝のうちの一つに引っ掛け、この時、該フック爪１２１の当接端面１２２は、当該係止凹溝の傾斜溝底面９１に面接触するように密着当接していることから、ロックナット９０を回す過程中、該フック爪１２１が当該係止凹溝に強固に係止されており、従来のフックスパナに比べて、より安定した係合状態を確保できるので、より高い操作効率を得ることができる。
【００１５】
本考案の好適な実施例では、前記フック爪１２１の当接端面１２２の傾斜角度は、異なる仕様のロックナット９０の傾斜溝底面９１に密着するように当接可能とするために、異なる仕様のロックナット９０に応じて、任意に設計変更することできる。尚、当接端面１２２の傾き角度は特に限定しない。
【００１６】
尚、本考案の好適な実施例では、引掛け頭部１２と柄部１１とは一体成形されたものであるが、これに限定されるものではなく、引掛け頭部１２と柄部１１とは、独立した単体でありながら、ヒンジ機構などを介して可動的に接続されてもよい。また、本考案の好適な実施例における引掛け頭部１２は一体成形したものであるが、これに限定されるものではなく、該引掛け頭部１２は、その開口が調整可能に構成されてもよく、その当接端面１２２が、フックスパナ本体１０の一方の側面から他方の側面まで斜めに延在するものであればよい。
【００１７】
以上の説明は、本考案の好適な実施形態に過ぎず、本考案に対して何ら限定を行うものではない。本考案について、比較的好適な実施形態をもって上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾も、依然としてすべて本考案の技術構想の範囲内にある。
【符号の説明】
【００１８】
１０      フックスパナ本体
１１      柄部
１２      引掛け頭部
１２１    フック爪
１２２    当接端面
１２３    当てブロック
１３      柄穴
８０      フックスパナ
８１      フック爪
８１１    当接端面
８１１Ａ  平面状当接端面
８１１Ｂ  凸円弧状当接端面
９０      ロックナット
９１      傾斜溝底面
【図１】
0003234637.tif 000003
【図２】
0003234637.tif 000004
【図３】
0003234637.tif 000005
【図４】
0003234637.tif 000006
【図５】
0003234637.tif 000007
【図６】
0003234637.tif 000008
【図７】
0003234637.tif 000009